(57)【要約】【課題】  各局にＡＬＣモードで制御されるＢＲＡ部およびＥＤＦＡ部を有する光伝送システムにおいて、ＦＲＡを併用する場合にＦＲＡ利得を測定し、設計値を超えた過剰な波形劣化が生じないような所定のＦＲＡ利得値に制御する。【解決手段】  前方ラマン増幅部（ＦＲＡ部）と、Ａ局がＦＲＡ部からラマン励起光を送出する前に、Ｂ局のＢＲＡ部をラマン励起光のパワーが一定になるように制御するＡＰＣモードまたはラマン励起光源の電流値が一定になるように制御するＡＣＣモードに設定し、Ｂ局のＥＤＦＡ部を入出力信号光のパワー比が一定になるように制御するＡＧＣモードに設定する制御部とを備え、Ｂ局のＯＳＡおよび制御部は、ＢＲＡ部およびＥＤＦＡ部のモード設定後に、Ａ局のＦＲＡ部からラマン励起光の送信前と送信時のスペクトルデータの差分を検出し、前方ラマン利得（ＦＲＡ利得）の測定を行う構成である。【選択図】        図１
2006345070.tif 000002
【特許請求の範囲】
【請求項１】
光ファイバ伝送路を介して接続されるＡ局およびＢ局に、
光ファイバ伝送路に対して信号光と逆方向にラマン励起光を送出する後方ラマン増幅部（ＢＲＡ部）と、
ラマン増幅後の信号光を増幅するエルビウム添加光ファイバ増幅部（ＥＤＦＡ部）と、  前記ＥＤＦＡ部で増幅された信号光パワーをモニタする光スペクトラムアナライザ（ＯＳＡ）と
を備えた光伝送システムにおいて、
前記光ファイバ伝送路に対して信号光と同方向にラマン励起光を送出する前方ラマン増幅部（ＦＲＡ部）と、
前記Ａ局が前記ＦＲＡ部からラマン励起光を送出する前に、前記Ｂ局のＢＲＡ部をラマン励起光のパワーが一定になるように制御するＡＰＣモードまたはラマン励起光源の電流値が一定になるように制御するＡＣＣモードに設定し、前記Ｂ局のＥＤＦＡ部を入出力信号光のパワー比が一定になるように制御するＡＧＣモードに設定する制御部とを備え、
前記Ｂ局のＯＳＡおよび制御部は、前記ＢＲＡ部および前記ＥＤＦＡ部のモード設定後に、前記Ａ局のＦＲＡ部からラマン励起光の送信前と送信時のスペクトルデータの差分を検出し、前方ラマン利得（ＦＲＡ利得）の測定を行う構成である
ことを特徴とする光伝送システム。
【請求項２】
請求項１に記載の光伝送システムにおいて、
前記Ａ局および前記Ｂ局の制御部は、前記Ｂ局で測定されるＦＲＡ利得が規定値になるように、前記Ａ局のＦＲＡ部のラマン励起光パワーを制御する構成である
ことを特徴とする光伝送システム。
【請求項３】
請求項２に記載の光伝送システムにおいて、
前記制御部または前記ＯＳＡは、各信号チャネルごとのＦＲＡ利得の規定値をテーブルとして備え、
前記Ａ局の制御部は、ＦＲＡ部のラマン励起光源のパワー値または印加電流値を「ＦＲＡパワー情報」として前記Ｂ局の制御部に通知する手段を含み、
前記Ｂ局の制御部は、測定されたＦＲＡ利得と前記テーブルのＦＲＡ利得の規定値との偏差を算出し、その偏差と前記Ａ局から通知された「ＦＲＡパワー情報」から規定のＦＲＡ利得を設定するためのラマン励起光源のパワー値または印加電流値を「ＦＲＡ利得制御情報」として算出し、前記Ａ局の制御部に通知する手段を含み、
前記Ａ局の制御部は、前記Ｂ局から通知された「ＦＲＡ利得制御情報」に基づいてＦＲＡ部のラマン励起光源のパワー値または印加電流値を設定し、規定のＦＲＡ利得が得られるように制御する手段を含む
ことを特徴とする光伝送システム。
【請求項４】
請求項２または請求項３に記載の光伝送システムにおいて、
前記Ａ局および前記Ｂ局の制御部は、Ａ局とＢ局との間でＦＲＡ利得が規定値に制御された後に、前記Ａ局のＦＲＡ部を前記ＡＰＣモードまたはＡＣＣモードに設定し、さらに前記Ｂ局のＢＲＡ部およびＥＤＦＡ部をそれぞれ出力信号光パワーが一定になるように制御するＡＬＣモードに設定する構成である
ことを特徴とする光伝送システム。
【請求項５】
請求項１に記載の光伝送システムにおいて、
前記Ａ局および前記Ｂ局は、Ａ局とＢ局との間で送受信されるＯＳＣ光を用いて、Ｂ局のＢＲＡ部をＡＰＣモードまたはＡＣＣモードに設定し、ＥＤＦＡ部をＡＧＣモードに設定するための制御信号を伝送する手段を備えた
ことを特徴とする光伝送システム。
【請求項６】
請求項３に記載の光伝送システムにおいて、
前記Ａ局および前記Ｂ局は、Ａ局とＢ局との間で送受信されるＯＳＣ光を用いて、Ａ局とＢ局との間でＦＲＡ利得の制御に用いる「ＦＲＡパワー情報」および「ＦＲＡ利得制御情報」を伝送する手段を備えた
ことを特徴とする光伝送システム。
【請求項７】
請求項４に記載の光伝送システムにおいて、
前記Ａ局および前記Ｂ局は、Ａ局とＢ局との間で送受信されるＯＳＣ光を用いて、Ｂ局のＢＲＡ部およびＥＤＦＡ部をＡＬＣモードに設定するための制御信号を伝送する手段を備えた
ことを特徴とする光伝送システム。
【請求項８】
請求項４に記載の光伝送システムにおいて、
前記Ａ局および前記Ｂ局のＢＲＡ部は、前記ＡＬＣモードと、前記ＡＰＣモードまたはＡＣＣモードとの切り替えが可能な構成である
ことを特徴とする光伝送システム。
【請求項９】
請求項４に記載の光伝送システムにおいて、
前記Ａ局および前記Ｂ局のＥＤＦＡ部は、前記ＡＬＣモードと、前記ＡＧＣモードとの切り替えが可能な構成である
ことを特徴とする光伝送システム。
【請求項１０】
請求項４に記載の光伝送システムにおいて、
前記Ａ局および前記Ｂ局のＦＲＡ部は、ＦＲＡ部から出力されるラマン励起光パワーをモニタする手段およびそのラマン励起光パワーを制御する手段を含み、前記ＡＰＣモードまたはＡＣＣモードの設定が可能な構成である
ことを特徴とする光伝送システム。
【発明の詳細な説明】
【技術分野】
【０００１】
本発明は、後方ラマン増幅（ＢＲＡ）とエルビウム添加光ファイバ増幅（ＥＤＦＡ）を組み合わせた光伝送システムにおいて、さらに前方ラマン増幅（ＦＲＡ）を組み合わせる光伝送システムに関する。
【背景技術】
【０００２】
図４は、従来の光伝送システムの構成例を示す（非特許文献１）。図において、光ファイバ伝送路１，２を介して双方向接続されるＡ局およびＢ局は、光ファイバ伝送路１，２に対して信号光と逆方向にラマン励起光を送出する後方ラマン増幅部（ＢＲＡ部）１０と、ラマン増幅後の信号光を増幅するエルビウム添加光ファイバ増幅部（ＥＤＦＡ部）２０を備える。ＥＤＦＡ部２０の後段で光カプラ３１を介して接続される光スペクトラムアナライザ（ＯＳＡ）３２は、ＷＤＭ信号光の平坦性をモニタしてＥＤＦＡ部２０にフィードバックし、ＥＤＦＡ部２０の出力信号光スペクトルを平坦にする制御を行う。また、制御部４０に接続されるＯＳＣ送信部４１およびＯＳＣ受信部４２は、それぞれ光カプラ４３，４４を介してＥＤＦＡ部２０の後段および前段に接続され、局間で制御情報を伝送するためのＯＳＣ光を送受信する。
【０００３】
後方ラマン増幅（ＢＲＡ）は、その利得が大きいほど伝送後の光ＳＮ比が向上する一方で、ＢＲＡ利得が過大になっても非線形効果による波形劣化量は変わらない。したがって、ＢＲＡ利得が過大になることは考慮しなくてもよく、ある規定値（設計値）以上が確保されることが重要になっている。このため、実用化されているＷＤＭ光伝送システムはＢＲＡ利得の最小値を用いて設計されており、ＢＲＡ部１０はＢＲＡ利得を測定せず、ラマン増幅後の出力レベル（ＥＤＦＡ部２０の入力レベル）が一定となる自動出力パワー一定制御（ＡＬＣ）モードが適用されている。
【０００４】
ここで、ＢＲＡ部１０におけるＡＬＣモード、ＡＰＣ（自動パワー一定制御）モードおよびＡＣＣ（自動電流一定制御）モードと、ＥＤＦＡ部２０におけるＡＬＣモードおよびＡＧＣ（自動利得一定制御）モードの制御構成について説明する。
【０００５】
図５は、ＡＬＣ（ＡＰＣ，ＡＣＣ）機能を有するＢＲＡ部１０の構成例を示す。図において、ラマン励起光源１１は、光カプラ１２を介して光ファイバ伝送路１と結合されており、出力されるラマン励起光が信号光と逆方向に光ファイバ伝送路１に送出される。光ファイバ伝送路１でラマン増幅された信号光は、光カプラ１２、光カプラ１３を介して光検出器（ＰＤ）１４に入力され、ＰＤ１４でラマン増幅後の信号光パワーがモニタされる。このモニタ値は制御回路１５に入力され、制御回路１５はモニタ値（信号光パワー）が一定になるようにラマン励起光源１１の電流値を制御する。これにより、ＡＬＣモードによる制御が実現する。
【０００６】
また、ＢＲＡ部１０をＡＰＣモードに設定するには、ラマン励起光源１１の出力部に配置された光カプラ１６から分岐したラマン励起光を光検出器（ＰＤ）１７でモニタし、制御回路１５でラマン励起光パワーが一定になるように制御する。ＢＲＡ部１０をＡＣＣモードに設定するには、モニタ用の光検出器を用いず、単にラマン励起光源１１への印加電流が一定になるように制御する。
【０００７】
図６は、ＡＬＣ（ＡＧＣ）機能を有するＥＤＦＡ部２０の構成例を示す。図において、エルビウム添加光ファイバ増幅器（ＥＤＦＡ）２１は、エルビウム添加光ファイバおよび励起光源を含む構成であり、その後段に光カプラ２２を介して光検出器（ＰＤ）２３を接続し、ＥＤＦＡ２１で増幅された信号光パワーをモニタする。モニタ値は制御回路２４に入力され、モニタ値（信号光パワー）が一定になるようにＥＤＦＡ２１の励起光源の電流値を制御する。これにより、ＡＬＣモードによる制御が実現する。
【０００８】
また、ＥＤＦＡ部２０をＡＧＣモードに設定するには、ＥＤＦＡ２１の前段の光カプラ２５を介して光検出器（ＰＤ）２６を接続し、ＥＤＦＡ２１に入力する信号光パワーをモニタし、ＰＤ２３，２６の各モニタ値の比が一定になるようにＥＤＦＡ２１の励起光源の電流値を制御する。
【０００９】
ところで、信号光と同方向にラマン励起光を送出する前方ラマン増幅部（ＦＲＡ部）を用いることにより、さらなる伝送距離の長距離化を図ることが検討されている（非特許文献２）。ここで、前方ラマン増幅（ＦＲＡ）を適用する場合には次の点について考慮する必要がある。ＦＲＡは、その利得が大きいほど光ＳＮ比が向上するが、ＢＲＡと異なって非線形効果による波形劣化量が増加する。このため、実システム運用の際には、個々のＦＲＡ部ごとにＦＲＡ利得を測定し、設計値を超えた過剰な波形劣化が生じないように所定のＦＲＡ利得値に制御することが望まれる。
【非特許文献１】H.Masuda et al.,High-performance distributed Raman amplification systems: Practical aspects and field trial results, OThF5, OFC2005(2005)
【非特許文献２】E.Desurvire,ERBIUM-DOPED FIBER AMPLIFIERS Principles and Applications, JOHN WILEY & SONS,INC,1994
【発明の開示】
【発明が解決しようとする課題】
【００１０】
図４に示す従来の光伝送システムにおけるＢＲＡ部１０の制御は、上記のようにラマン増幅後の出力レベル（ＥＤＦＡ部２０の入力レベル）を一定に制御するＡＬＣモードである。また、ＥＤＦＡ部２０もＡＬＣモードで制御されている。したがって、図３の従来システムにＦＲＡ部を追加した場合、モニタ用の光検出器（例えば図５の１４、図６の２３，２６）やＯＳＡ３２を用いても、ＦＲＡ利得の測定は困難である。
【００１１】
本発明は、各局にＡＬＣモードで制御されるＢＲＡ部およびＥＤＦＡ部を有する光伝送システムにおいて、ＦＲＡを併用する場合にＦＲＡ利得を測定し、設計値を超えた過剰な波形劣化が生じないような所定のＦＲＡ利得値に制御することができる光伝送システムを提供することを目的とする。
【課題を解決するための手段】
【００１２】
本発明は、光ファイバ伝送路を介して接続されるＡ局およびＢ局に、光ファイバ伝送路に対して信号光と逆方向にラマン励起光を送出する後方ラマン増幅部（ＢＲＡ部）と、ラマン増幅後の信号光を増幅するエルビウム添加光ファイバ増幅部（ＥＤＦＡ部）と、ＥＤＦＡ部で増幅された信号光パワーをモニタする光スペクトラムアナライザ（ＯＳＡ）とを備えた光伝送システムにおいて、光ファイバ伝送路に対して信号光と同方向にラマン励起光を送出する前方ラマン増幅部（ＦＲＡ部）と、Ａ局がＦＲＡ部からラマン励起光を送出する前に、Ｂ局のＢＲＡ部をラマン励起光のパワーが一定になるように制御するＡＰＣモードまたはラマン励起光源の電流値が一定になるように制御するＡＣＣモードに設定し、Ｂ局のＥＤＦＡ部を入出力信号光のパワー比が一定になるように制御するＡＧＣモードに設定する制御部とを備え、Ｂ局のＯＳＡおよび制御部は、ＢＲＡ部およびＥＤＦＡ部のモード設定後に、Ａ局のＦＲＡ部からラマン励起光の送信前と送信時のスペクトルデータの差分を検出し、前方ラマン利得（ＦＲＡ利得）の測定を行う構成である（請求項１）。
【００１３】
さらに、Ａ局およびＢ局の制御部は、Ｂ局で測定されるＦＲＡ利得が規定値になるように、Ａ局のＦＲＡ部のラマン励起光パワーを制御する構成である（請求項２）。
【００１４】
また、制御部またはＯＳＡは、各信号チャネルごとのＦＲＡ利得の規定値をテーブルとして備え、Ａ局の制御部は、ＦＲＡ部のラマン励起光源のパワー値または印加電流値を「ＦＲＡパワー情報」としてＢ局の制御部に通知する手段を含み、Ｂ局の制御部は、測定されたＦＲＡ利得と前記テーブルのＦＲＡ利得の規定値との偏差を算出し、その偏差とＡ局から通知された「ＦＲＡパワー情報」から規定のＦＲＡ利得を設定するためのラマン励起光源のパワー値または印加電流値を「ＦＲＡ利得制御情報」として算出し、Ａ局の制御部に通知する手段を含み、Ａ局の制御部は、Ｂ局から通知された「ＦＲＡ利得制御情報」に基づいてＦＲＡ部のラマン励起光源のパワー値または印加電流値を設定し、規定のＦＲＡ利得が得られるように制御する手段を含む（請求項３）。
【００１５】
また、Ａ局およびＢ局の制御部は、Ａ局とＢ局との間でＦＲＡ利得が規定値に制御された後に、Ａ局のＦＲＡ部をＡＰＣモードまたはＡＣＣモードに設定し、さらにＢ局のＢＲＡ部およびＥＤＦＡ部をそれぞれ出力信号光パワーが一定になるように制御するＡＬＣモードに設定する構成である（請求項４）。
【００１６】
また、Ａ局およびＢ局は、Ａ局とＢ局との間で送受信されるＯＳＣ光を用いて、Ｂ局のＢＲＡ部をＡＰＣモードまたはＡＣＣモードに設定し、ＥＤＦＡ部をＡＧＣモードに設定するための制御信号を伝送する手段を備える（請求項５）。
【００１７】
また、Ａ局およびＢ局は、Ａ局とＢ局との間で送受信されるＯＳＣ光を用いて、Ａ局とＢ局との間でＦＲＡ利得の制御に用いる「ＦＲＡパワー情報」および「ＦＲＡ利得制御情報」を伝送する手段を備える（請求項６）。
【００１８】
また、Ａ局およびＢ局は、Ａ局とＢ局との間で送受信されるＯＳＣ光を用いて、Ｂ局のＢＲＡ部およびＥＤＦＡ部をＡＬＣモードに設定するための制御信号を伝送する手段を備える（請求項７）。
【００１９】
また、Ａ局およびＢ局のＢＲＡ部は、ＡＬＣモードと、ＡＰＣモードまたはＡＣＣモードとの切り替えが可能な構成としてもよい（請求項８）。また、Ａ局およびＢ局のＥＤＦＡ部は、ＡＬＣモードと、ＡＧＣモードとの切り替えが可能な構成としてもよい（請求項９）。また、Ａ局およびＢ局のＦＲＡ部は、ＦＲＡ部から出力されるラマン励起光パワーをモニタする手段およびそのラマン励起光パワーを制御する手段を含み、ＡＰＣモードまたはＡＣＣモードの設定が可能な構成としてもよい（請求項１０）。
【発明の効果】
【００２０】
本発明は、ＡＬＣモードで制御されるＢＲＡ部およびＥＤＦＡ部を備えた光伝送システムにおいて、ＦＲＡ利得設定時に一時的にＢＲＡ部をＡＰＣモードまたはＡＣＣモードに設定し、ＥＤＦＡ部をＡＧＣモードに設定することにより、各局間でＦＲＡ利得を測定し、各局ごとに規定のＦＲＡ部利得を設定することができる。これにより、過大または過小なＦＲＡ利得による伝送劣化を抑えることができる。
【発明を実施するための最良の形態】
【００２１】
図１は、本発明の光伝送システムの実施形態を示す。
図において、光ファイバ伝送路１，２を介して双方向接続されるＡ局およびＢ局は、光ファイバ伝送路１，２に対して信号光と逆方向にラマン励起光を送出する後方ラマン増幅部（ＢＲＡ部）１０と、ラマン増幅後の信号光を増幅するエルビウム添加光ファイバ増幅部（ＥＤＦＡ部）２０と、光ファイバ伝送路１，２に対して信号光と同方向にラマン励起光を送出する前方ラマン増幅部（ＦＲＡ部）５０を備える。ＥＤＦＡ部２０の後段で光カプラ３１を介して接続される光スペクトラムアナライザ（ＯＳＡ）３３は、信号光スペクトルをモニタし、そのモニタ値を制御部６０に出力する。制御部６０は、ＢＲＡ部１０、ＥＤＦＡ部２０およびＦＲＡ部５０を制御する。また、制御部６０に接続されるＯＳＣ送信部４１およびＯＳＣ受信部４２は、それぞれ光カプラ４３，４４を介してＥＤＦＡ部２０の後段および前段に接続され、局間で制御情報を伝送するためのＯＳＣ光を送受信する。
【００２２】
本構成において、ＢＲＡ部１０およびＥＤＦＡ部２０がＡＬＣモードに設定される場合、ＦＲＡ利得が生じてもＯＳＡ３３でその利得を測定することができない。したがって、本発明の光伝送システムのＡ局およびＢ局の各制御部６０では、Ａ局がＦＲＡ制御を開始する前に、ＢＲＡ部１０をＡＬＣモードからＡＰＣモードまたはＡＣＣモードに切り替え、ＥＤＦＡ部２０をＡＬＣモードからＡＧＣモードに切り替える。次に、Ａ局はＦＲＡ部５０がラマン励起光を出力するＦＲＡ制御を開始し、Ｂ局のＯＳＡ３３ではＡ局のＦＲＡ制御前とＦＲＡ制御時のスペクトル変化からＦＲＡ利得を測定する。さらに、Ｂ局の制御部６０では、得られたＦＲＡ利得が規定値になるようにＡ局のＦＲＡ部５０のラマン励起光パワーを調整するようにＦＲＡ利得制御情報を送る。Ａ局およびＢ局間でＦＲＡ利得が規定値に制御された後に、Ａ局のＦＲＡ部５０をＡＰＣモードまたはＡＣＣモードに設定し、Ｂ局のＢＲＡ部１０およびＥＤＦＡ部２０をそれぞれＡＬＣモードに戻す制御を行う。
【００２３】
以下、ＦＲＡ利得制御の処理手順の一例について、図１および図２のシーケンスを参照して詳細に説明する。
【００２４】
(1) Ａ局の制御部６０は、ＦＲＡ制御を開始する前に、Ｂ局のＢＲＡ部１０およびＥＤＦＡ部２０の制御モードを切り替えるためのモード切替要求をＯＳＣ送信部４１に出力し、ＯＳＣ送信部４１はＯＳＣ光に重畳して光ファイバ伝送路１に送出する。このモード切替要求を含むＯＳＣ光は、Ｂ局のＯＳＣ受信部４２に受信され、制御部６０にモード切替要求が通知される。
【００２５】
(2) Ｂ局の制御部６０は、そのモード切替要求に応じてＢＲＡ部１０をＡＬＣモードからＡＰＣモードまたはＡＣＣモードに切り替え、ＥＤＦＡ部２０をＡＬＣモードからＡＧＣモードに切り替える。ＢＲＡ部１０では、例えば図５に示すように、ラマン励起光源１１から出力されるラマン励起光をＰＤ１７でモニタし、ラマン励起光パワーが一定になるように制御する構成をとることにより、ＡＰＣモードへの切り替えが行われる。あるいは、ＡＣＣモードへの切り替えの場合は、単にラマン励起光源１１への印加電流が一定になるように制御する構成をとる。ＥＤＦＡ部２０では、例えば図６に示すようなＥＤＦＡ２１の後段のＰＤ２３のモニタ値を用いた出力一定制御から、ＥＤＦＡ２１の前後でＰＤ２６，２３のモニタ値を用いた利得制御を行う構成をとることにより、ＡＧＣモードへの切り替えが行われる。
【００２６】
(3) Ｂ局の制御部６０は、ＢＲＡ部１０がＡＰＣモードまたはＡＣＣモードに切り替わり、ＥＤＦＡ部２０がＡＧＣモードに切り替わった後に、この切り替わりの完了を通知し、かつＡ局におけるＦＲＡ制御の開始を要求するＦＲＡ制御開始要求をＯＳＣ送信部４１に出力し、ＯＳＣ送信部４１はＯＳＣ光に重畳して光ファイバ伝送路２に送出する。このＦＲＡ制御開始要求を含むＯＳＣ光は、Ａ局のＯＳＣ受信部４２に受信され、制御部６０にＦＲＡ制御開始要求が通知される。
【００２７】
(4) Ａ局の制御部６０は、ＦＲＡ制御開始要求の通知によりＦＲＡ部５０のラマン励起光源をオンとし、ラマン励起光を光ファイバ伝送路１に送出させる。また、制御部６０は、このときのラマン励起光源のパワー値または印加電流値を「ＦＲＡパワー情報」としてＯＳＣ送信部４１に出力し、ＯＳＣ送信部４１はＯＳＣ光に重畳して光ファイバ伝送路１に送出する。この「ＦＲＡパワー情報」を含むＯＳＣ光は、Ｂ局のＯＳＣ受信部４２に受信され、制御部６０に「ＦＲＡパワー情報」が通知される。
【００２８】
(5) Ｂ局の制御部６０は、ＯＳＡ３３で測定されるＦＲＡ制御前のスペクトルデータと、ＦＲＡ制御時のスペクトルデータを入力し、その差分からＦＲＡ制御時のＦＲＡ利得を算出する。ここで、ＯＳＡ３３または制御部６０は、各信号チャネルごとのＦＲＡ利得の規定値をテーブルとしてもっている。制御部６０は、測定されたＦＲＡ利得とテーブルのＦＲＡ利得の規定値との偏差を算出し、その偏差とＡ局から通知された「ＦＲＡパワー情報」から、規定のＦＲＡ利得を設定するためのラマン励起光源のパワー値または印加電流値を「ＦＲＡ利得制御情報」として算出する。
【００２９】
(6) Ｂ局の制御部６０は、測定されるＦＲＡ利得が規定値になっていなければ、算出した「ＦＲＡ利得制御情報」をＯＳＣ送信部４１に出力し、ＯＳＣ送信部４１はＯＳＣ光に重畳して光ファイバ伝送路２に送出する。この「ＦＲＡ利得制御情報」を含むＯＳＣ光は、Ａ局のＯＳＣ受信部４２に受信され、制御部６０に「ＦＲＡ利得制御情報」が通知される。
【００３０】
(7) Ａ局の制御部６０は、Ｂ局から通知された「ＦＲＡ利得制御情報」に基づいてＦＲＡ部５０のラマン励起光源のパワー値または印加電流値を設定し、対応するＦＲＡ利得が得られるように制御する。
【００３１】
(8) Ｂ局の制御部６０は、 (4)〜(6) の処理を繰り返し、Ｂ局で規定のＦＲＡ利得が得られた場合には、ＦＲＡ利得制御の終了を通知し、かつＡ局のＦＲＡ部５０の制御モードをＡＣＣモードまたはＡＰＣモードに設定するためのモード設定要求をＯＳＣ送信部４１に出力し、ＯＳＣ送信部４１はＯＳＣ光に重畳して光ファイバ伝送路２に送出する。このモード設定要求を含むＯＳＣ光は、Ａ局のＯＳＣ受信部４２に受信され、制御部６０にモード設定要求が通知される。
【００３２】
(9) Ａ局の制御部６０は、モード設定要求の通知によりＦＲＡ部５０の制御モードをＡＣＣモードまたはＡＰＣモードに設定する。ここで、ＦＲＡ部５０をＡＰＣモードに設定するための構成を図３に示す。ＦＲＡ部５０は、ラマン励起光源５１から出力されるラマン励起光を光カプラ５２を介して光ファイバ伝送路１に送出する。また、ラマン励起光は、ラマン励起光源５１の出力部から光カプラ５３を介して光検出器（ＰＤ）５４に入力され、制御回路５５はそのモニタ値が一定になるようにラマン励起光源５１の印加電流を制御する構成である。なお、ＡＣＣモードに設定する場合には、光カプラ５３およびＰＤ５４は不要であり、制御回路５５でラマン励起光源５１の印加電流が一定になるように制御する構成とする。このようなＡＰＣモードまたはＡＣＣモードに設定することにより、ＦＲＡ利得を規定の利得に保持することができる。
【００３３】
(10)Ａ局の制御部６０は、ＦＲＡ部５０のモード設定を行うとともに、Ｂ局のＢＲＡ部１０およびＥＤＦＡ部２０を元のＡＬＣモードに戻すためのモード切替要求をＯＳＣ送信部４１に出力し、ＯＳＣ送信部４１はＯＳＣ光に重畳して光ファイバ伝送路１に送出する。このモード切替要求を含むＯＳＣ光は、Ｂ局のＯＳＣ受信部４２に受信され、制御部６０にモード切替要求が通知される。
【００３４】
(11)Ｂ局の制御部６０は、そのモード切替要求に応じてＢＲＡ部１０をＡＰＣモードまたはＡＣＣモードから初期状態のＡＬＣモードに戻し、ＥＤＦＡ部２０をＡＧＣモードから初期状態のＡＬＣモードに戻す。
なお、Ｂ局のＢＲＡ部１０およびＥＤＦＡ部２０では、Ａ局のＦＲＡ制御によるＦＲＡ利得が発生する前と後では、ＡＬＣモードで一定制御される出力パワーの値が異なるので、初期状態のＡＬＣモードに戻す際にその制御値（目標値）をＦＲＡ制御を考慮した値に変更する。
【図面の簡単な説明】
【００３５】
【図１】本発明の光伝送システムの実施形態を示す図。
【図２】制御部６０におけるＦＲＡ利得制御シーケンスを示す図。
【図３】ＦＲＡ部５０の構成例を示す図。
【図４】従来の光伝送システムの構成例を示す図。
【図５】ＡＬＣ（ＡＰＣ，ＡＣＣ）機能を有するＢＲＡ部１０の構成例を示す図。
【図６】ＡＬＣ（ＡＧＣ）機能を有するＥＤＦＡ部２０の構成例を示す図。
【符号の説明】
【００３６】
１，２  光ファイバ伝送路
１０  後方ラマン増幅部（ＢＲＡ部）
１１  ラマン励起光源
１２，１３，１６  光カプラ
１４，１７  光検出器（ＰＤ）
１５  制御回路
２０  エルビウム添加光ファイバ増幅部（ＥＤＦＡ部）
２１  エルビウム添加光ファイバ増幅器（ＥＤＦＡ）
２２，２５  光カプラ
２３，２６  光検出器（ＰＤ）
２４  制御回路
３１  光カプラ
３２，３３  光スペクトラムアナライザ（ＯＳＡ）
４０，６０  制御部
４１  ＯＳＣ送信部
４２  ＯＳＣ受信部
４３，４４  光カプラ
５０  前方ラマン増幅部（ＦＲＡ部）
５１  ラマン励起光源
５２，５３  光カプラ
５４  光検出器（ＰＤ）
５５  制御回路
【図１】
2006345070.tif 000003
【図２】
2006345070.tif 000004
【図３】
2006345070.tif 000005
【図４】
2006345070.tif 000006
【図５】
2006345070.tif 000007
【図６】
2006345070.tif 000008